【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
時分割複信（ＴＤＤ）通信システムにおけるワイヤレス通信の方法であって、
第１の電力制御パラメータの適用に関連する第１のサブフレームタイプを識別することと、
第２の電力制御パラメータの適用に関連する第２のサブフレームタイプを識別することと、
前記第１または第２の電力制御パラメータに従って送信されるべき１つまたは複数のサブフレームを、前記それぞれの１つまたは複数のサブフレームの前記サブフレームタイプに基づいて識別することと、
前記第１のサブフレームタイプと前記第２のサブフレームタイプとを有する前記１つまたは複数のサブフレームの指示をユーザ機器に送信することと、
を備える、方法。
【請求項２】
前記指示が無線リソース制御（ＲＲＣ）シグナリングを介してまたは物理レイヤ制御チャネルを介して送信される、請求項１に記載の方法。
【請求項３】
前記指示が、前記１つまたは複数のサブフレームに関連するビットマップであり、前記１つまたは複数のサブフレームの各サブフレームが前記ビットマップの１つまたは複数のビットに関連する、請求項１に記載の方法。
【請求項４】
前記ビットマップの前記１つまたは複数のビットの値が、前記第１のサブフレームタイプまたは前記第２のサブフレームタイプとして前記１つまたは複数のビットに関連する前記サブフレームを示す、請求項３に記載の方法。
【請求項５】
無線リソース制御（ＲＲＣ）シグナリングを介してまたは物理レイヤ制御チャネルを介して前記ユーザ機器に前記第１または第２の電力制御パラメータのうちの１つまたは複数を送信すること、または
サービングセルとネイバリングセルとのＴＤＤアップリンクダウンリンク（ＵＬ−ＤＬ）構成を決定すること、をさらに備え、
第１および第２のサブフレームタイプを前記識別することが前記サービングセルと前記ネイバリングセルとの前記ＴＤＤ  ＵＬ−ＤＬ構成に基づく、請求項１に記載の方法。
【請求項６】
第１の固定方向サブフレームと第２のフレキシブル方向サブフレームとについての干渉対熱雑音（ＩｏＴ）を測定することと、
前記第１の固定方向サブフレームと前記第２のフレキシブル方向サブフレームとの間のＩｏＴの差を決定することと、をさらに備え、
前記第１または第２のサブフレームタイプを前記決定することがＩｏＴの前記差に基づき、任意で、前記第１の固定方向サブフレームが、前記ＴＤＤ  ＵＬ−ＤＬ構成にかかわらずアップリンクサブフレームであるように選択される、請求項１に記載の方法。
【請求項７】
サービングセルにおいて、サブフレーム中のネイバリングセルからの信号がダウンリンク（ＤＬ）基準信号（ＲＳ）を含むと決定すること、をさらに備え、
前記第１または第２のサブフレームタイプを前記識別することが前記サブフレーム中の前記ＤＬ  ＲＳの存在に基づき、任意で、前記ＤＬ  ＲＳが存在するサブフレームは、前記サービングセルの対応するサブフレームがアップリンクサブフレームであるときに、前記第２のサブフレームタイプを有するものとして識別される、請求項１に記載の方法。
【請求項８】
前記第１のサブフレームタイプが、サービングセルとネイバリングセルとの間のアップリンクアップリンク（ＵＬ−ＵＬ）干渉を有するサブフレームに対応し、前記第２のサブフレームタイプが、前記サービングセルと前記ネイバリングセルとの間のダウンリンクアップリンク（ＤＬ−ＵＬ）干渉を有するサブフレームに対応する、請求項１に記載の方法。
【請求項９】
前記第１の電力制御パラメータが前記第２の電力制御パラメータとは異なり、任意で、前記第２のサブフレームタイプが、前記第１のサブフレームタイプを有するものとして識別されない残りのサブフレームに対応する、請求項１に記載の方法。
【請求項１０】
前記第１の電力制御パラメータが前記第１のサブフレームタイプの各サブフレームに適用され、前記第２の電力制御パラメータが、前記第２のサブフレームタイプを有するサブフレームのサブセットに適用される、請求項１に記載の方法。
【請求項１１】
フレーム内の前記第２の電力制御パラメータを動的に調整することをさらに備える、請求項１に記載の方法。
【請求項１２】
前記第１のサブフレームタイプが、サービングセルとネイバリングセルとの間のアップリンクアップリンク（ＵＬ−ＵＬ）干渉を有するサブフレームに対応し、前記第２のサブフレームタイプが、前記サービングセルと前記ネイバリングセルとの間のアップリンクダウンリンク（ＵＬ−ＤＬ）干渉を有するサブフレームに対応し、
前記第１の電力制御パラメータが、補償されていないＵＬ送信電力を備え、前記第２の電力制御パラメータが、ＵＬ開ループ電力制御パラメータに従った前記ＵＬ送信電力に対する調整を備え、任意で、前記ＵＬ開ループ電力制御パラメータが、
ターゲット受信電力（ＰO）とセル固有補償係数（α）とを備え、
無線リソース制御（ＲＲＣ）シグナリングを介して前記サービングセルによって与えられ、
前記第２のサブフレームタイプを有する２つまたはそれ以上のサブフレームのための別個のＰOパラメータとαパラメータとを備え、
前記第１の電力制御パラメータのＰOパラメータとαパラメータとに対するオフセットを備える、請求項１に記載の方法。
【請求項１３】
時分割複信（ＴＤＤ）通信システムにおけるワイヤレス通信のための装置であって、
第１の電力制御パラメータの適用に関連する第１のサブフレームタイプを識別するための手段と、
第２の電力制御パラメータの適用に関連する第２のサブフレームタイプを識別するための手段と、
前記第１または第２の電力制御パラメータに従って送信されるべき１つまたは複数のサブフレームを、前記それぞれの１つまたは複数のサブフレームの前記サブフレームタイプに基づいて識別するための手段と、
前記第１のサブフレームタイプと前記第２のサブフレームタイプとを有する前記１つまたは複数のサブフレームの指示をユーザ機器に送信するための手段と、
を備える、装置。
【請求項１４】
時分割複信（ＴＤＤ）通信システムにおけるワイヤレス通信の方法であって、
ＴＤＤアップリンクダウンリンク（ＵＬ−ＤＬ）構成に関連する第１および第２のサブフレームタイプの識別を受信することと、
前記第１のサブフレームタイプを有するものとして識別された１つまたは複数のサブフレームに第１の電力制御パラメータを適用することと、
前記第２のサブフレームタイプを有するものとして識別された１つまたは複数のサブフレームに第２の電力制御パラメータを適用することと、
前記１つまたは複数のサブフレームをサービング基地局に送信することと、
を備える、方法。
【請求項１５】
前記識別を受信することが、無線リソース制御シグナリングにおいてフレキシブルサブフレームの半静的な識別を受信すること、または、物理レイヤ制御チャネルを介したシグナリングにおいてフレキシブルサブフレームの動的な識別を受信することを備え、任意で、前記第１の電力制御パラメータが、補償されていないＵＬ送信電力を備え、前記第２の電力制御パラメータが、ＵＬ開ループ電力制御パラメータに従った前記ＵＬ送信電力に対する調整を備える、請求項１４に記載の方法。
【請求項１６】
時分割複信（ＴＤＤ）通信システムにおけるワイヤレス通信のための装置であって、
ＴＤＤアップリンクダウンリンク（ＵＬ−ＤＬ）構成に関連する第１および第２のサブフレームタイプの識別を受信するための手段と、
前記第１のサブフレームタイプを有するものとして識別された１つまたは複数のサブフレームに第１の電力制御パラメータを適用するための手段と、
前記第２のサブフレームタイプを有するものとして識別された１つまたは複数のサブフレームに第２の電力制御パラメータを適用するための手段と、
前記１つまたは複数のサブフレームをサービング基地局に送信ための手段と、
を備える、装置。
【請求項１７】
時分割複信（ＴＤＤ）ワイヤレス通信システムにおけるワイヤレス通信のためのコンピュータプログラム製品であって、前記コンピュータプログラム製品が、請求項１乃至１２、１４、および１５の方法のうちのいずれか１つを行うためにプロセッサによって実行可能な命令を記憶するコンピュータ可読媒体を備える、コンピュータプログラム製品。